(57)【要約】【課題】建物壁面との間に形成される人の移動空間を側方から見て略台形として利用者の頭部辺りの空間を広げるとともに、直射日光の差込み側から見た場合の意匠性を高めることができる日除け装置を提供する。【解決手段】構造フレーム体１の上端から下端までの途中に曲折して形成された曲折部を設け、曲折部を含めた構造フレーム体１の直射日光の差込み側を幕布３で覆い隠すように取り付ける。【選択図】図２
2012140752.tif 000002
【特許請求の範囲】
【請求項１】
上端が建物壁面に設けられた窓より上方付近に当接するように立て掛けられる構造フレーム体と、該構造フレーム体の上端側から下端側に亘って展張支持されて前記窓から室内に差し込む直射日光を遮断する幕布とを備える日除け装置において、
前記構造フレーム体は、立て掛けられた状態で前記建物壁面との間に形成される人の移動空間が側面から見て略台形となるように上端から下端までの途中に曲折して形成された曲折部を備え、
前記幕布は、前記構造フレーム体の直射日光の差込み側を前記曲折部を含めて覆い隠すとともに直射日光の差込み側と反対側の布面が前記曲折部を含めた前記構造フレーム体により支えられるように取り付けられることを特徴とする日除け装置。
【請求項２】
前記構造フレーム体は、
立て掛けられた状態で上下方向に配される、前記曲折部を有する複数の支柱と、
該曲折部の間に架け渡されて連結する第１連結杆と、
前記曲折部以外の支柱のいずれかの部分の間に架け渡されて連結する第２連結杆と
を備えることを特徴とする請求項１に記載の日除け装置。
【請求項３】
前記複数の支柱は、前記曲折部より上端側から下方に延出して設置地面に達する補助支柱を更に備えることを特徴とする請求項２に記載の日除け装置。
【発明の詳細な説明】
【技術分野】
【０００１】
本発明は、建物壁面に設けられた窓から室内に差し込む直射日光を遮断する日除け装置に関し、特に、建物壁面に立て掛けられる日除け装置に関するものである。
【背景技術】
【０００２】
従来、建物壁面に設けられた窓から室内に差し込む直射日光を遮断する伝統的な日除け装置として、多数の葦の茎を並べて糸で編み連ねた葦簀が利用されている。また、近年、葦簀の他に、複数の支柱の間に幕布が平面的に広げて取り付けられる洋風たてすなどが利用されている（例えば、特許文献１）。
【先行技術文献】
【特許文献】
【０００３】
【特許文献１】特開２００１−３１１２８４号公報
【発明の概要】
【発明が解決しようとする課題】
【０００４】
しかしながら、特許文献１に記載された日除け装置は、建物壁面に立て掛けられた場合、幕布と建物壁面との間に形成された人の移動空間が側方から見て上方に向かって狭くなる略三角形となっている。そのため、この移動空間に進入した利用者は、頭部辺りの空間が狭いとして圧迫感を感じるという問題を有している。また、直射日光が差し込む側から見て、幕布の表面に支柱の取り付け部分があらわれるため、意匠性が著しく損なわれるという問題を有している。
【０００５】
本発明はかかる事情を鑑みてなされたものであり、構造フレーム体の上端から下端までの途中に曲折して形成された曲折部を設け、曲折部を含めた構造フレーム体の直射日光の差込み側を幕布で覆い隠すように取り付けることにより、建物壁面との間に形成される人の移動空間を側方から見て略台形として利用者の頭部辺りの空間を広げるとともに、直射日光の差込み側から見た場合の意匠性を高めることができる日除け装置を提供することを目的とする。
【課題を解決するための手段】
【０００６】
本発明に係る日除け装置は、上端が建物壁面に設けられた窓より上方付近に当接するように立て掛けられる構造フレーム体と、該構造フレーム体の上端側から下端側に亘って展張支持されて前記窓から室内に差し込む直射日光を遮断する幕布とを備える日除け装置において、前記構造フレーム体は、立て掛けられた状態で前記建物壁面との間に形成される人の移動空間が側面から見て略台形となるように上端から下端までの途中に曲折して形成された曲折部を備え、前記幕布は、前記構造フレーム体の直射日光の差込み側を前記曲折部を含めて覆い隠すとともに直射日光の差込み側と反対側の布面が前記曲折部を含めた前記構造フレーム体により支えられるように取り付けられることを特徴とする。
【０００７】
本発明にあっては、上端から下端までの途中に曲折部を形成することにより、構造フレーム体と建物壁面との間に形成される人の移動空間が側方から見て略台形となり、この移動空間に進入する利用者の頭部辺りの空間が広くなる。また、幕布を、構造フレーム体の直射日光の差込み側を覆い隠すように取り付けることにより、かかる方向から見た場合の意匠性が損なわれるようなことがない。また、幕布を、直射日光の差込み側と反対側の布面が曲折部を含めた構造フレーム体により支えられるように取り付けることにより、幕布の直射日光の差込み側の布面に構造フレーム体の取り付け部分があらわれるようなことがなく、かかる方向から見た場合の意匠性が損なわれるようなことがない。
【０００８】
また、本発明に係る日除け装置は、前記構造フレーム体は、立て掛けられた状態で上下方向に配される、前記曲折部を有する複数の支柱と、該曲折部の間に架け渡されて連結する第１連結杆と、前記曲折部以外の支柱のいずれかの部分の間に架け渡されて連結する第２連結杆とを備える構成にしてもよい。
【０００９】
本発明にあっては、構造フレーム体を複数の支柱や連結杆などで構成することにより、未使用時に分解することができ、可搬性、収納性が向上する。また、長さや径の異なる支柱や連結杆に差し替えることにより、日除け装置の全長、重さ及び強度の変更が簡便に行われる。
【００１０】
更にまた、本発明に係る日除け装置は、前記複数の支柱は、前記曲折部より上端側から下方に延出して設置地面に達する補助支柱を更に備える構成としてもよい。
【００１１】
本発明にあっては、設置地面に達する補助支柱を更に備えることにより、建物壁面に立て掛けられた状態の構造フレーム体が風などにより横転するようなことがない。
【発明の効果】
【００１２】
本発明にあっては、日除け装置を建物壁面に立て掛けた場合に、構造フレーム体と建物壁面との間に形成される人の移動空間を側方から見て略台形として移動空間に進入する利用者の頭部辺りの空間を広げることができる。また、直射日光の差込み側から見た場合の意匠性を高めることができる。
【図面の簡単な説明】
【００１３】
【図１】本発明に係る日除け装置が備える構造フレーム体の構造を示す斜視図である。
【図２】本発明に係る日除け装置を建物壁面に立て掛けた状態を示す説明図である。
【図３】図１とは異なる構造フレーム体の構造を示す斜視図である。
【図４】図１及び図３とは異なる構造フレーム体の構造を示す斜視図である。
【発明を実施するための形態】
【００１４】
実施の形態１．
本発明に係る日除け装置を実施の形態を示す図面に基づいて以下説明する。図面において、１は、構造フレーム体である。構造フレーム体１は、支柱と、連結杆と、連結器とを備える。
【００１５】
支柱は、後述するように構造フレーム体１が建物壁面Ｘに立て掛けられた状態で上下方向に配される直管状のパイプ部材であり、所定の外径を有している。また、支柱は、複数存在し、互いに平行となるように建物壁面Ｘに立て掛けられる。各支柱は、上端側から下端側にかけて順番に上部支柱１０と、下部第１支柱１１と、下部第２支柱１２と、下部第３支柱１３とが連結することにより構成されている。
【００１６】
上部支柱１０は、上端部１００及び下端部１０１を備える。また、下部第１支柱１１は、上端部１１０及び下端部１１１を備え、下端部１１１に突起受け用の孔があけられている。上部支柱１０と下部第１支柱１１とは、後述する左部第１連結器２０及び右部第１連結器２１を介して鈍角となるように連結する。そして、この鈍角をなす部分は、本発明に係る曲折部となる。
【００１７】
下部第２支柱１２は、上端部１２０及び下端部１２１を備える。上端部１２０は、中央部分より僅かに細めの外径を有し、一部に突起を有している。下端部１２１は、引っ掛け用の孔及び突起受け用の孔があけられている。
【００１８】
下部第３支柱１３は、その他の支柱より全長が短く、上端部１３０及び下端部１３１を備える。上端部１３０は、中央部より僅かに細めの外径を有し、一部に突起を有している。下端部１３１は、設置地面に対する滑り止め部材が取り付けられている。
【００１９】
上部支柱１０、下部第１支柱１１、下部第２支柱１２及び下部第３支柱１３は、長さ及び径の異なるものが複数種用いられ、設置場所に応じて差し替え変更される。但し、これらの支柱の長さ寸法は、少なくとも、曲折部が形成される高さが移動空間内に侵入する利用者の頭部の高さ以上となるように形成されている。ここで、利用者は、平均的な身長を有する成人男性を想定されている。平均的な身長は、およそ１７０ｃｍである。
【００２０】
連結杆は、複数の支柱の間に架け渡されて連結する直管状のパイプ部材であり、支柱の外径と同じ外径を有している。連結杆には、曲折部の間に架け渡されて連結する第１連結杆１４と、曲折部以外の支柱の部分の間に架け渡されて連結する第２連結杆１５とがある。
【００２１】
第１連結杆１４は、左部第１連結杆１４ａと右部第１連結杆１４ｂとが連結することにより構成されている。左部第１連結杆１４ａは、左端部１４０及び右端部１４１を備え、右端部１４１には、突起受け用の孔があけられている。右部第１連結杆１４ｂは、左端部１４２及び右端部１４３を備える。左端部１４２は、中央部より僅かに細めの外径を有し、一部に突起を有している。
【００２２】
第２連結杆１５は、左部第２連結杆１５ａと右部第２連結杆１５ｂとが連結することにより構成されている。左部第２連結杆１５ａは、左端部１５０及び右端部１５１を備え、左端部１５１に突起受け用の孔があけられている。右部第２連結杆１５ｂは、左端部１５２及び右端部１５３を備える。左端部１５２は、中央部より僅かに細めの外径を有し、一部に突起を有している。
【００２３】
連結器は、支柱同士、連結杆同士又は支柱と連結杆とを連結するための器具であり、曲折部を連結するための左部第１連結器２０及び右部第１連結器２１と、曲折部以外の部分を連結するための左部第２連結器２２及び右部第２連結器２３とがある。
【００２４】
左部第１連結器２０は、第１連結口２００、第２連結口２０１及び第３連結口２０２が異なる３方向に開口している。第１連結口２００及び第２連結口２０１は、上記支柱の外径と略同じ内径を有している。第３連結口２０２は、上記連結杆の外径と略同じ内径を有している。第１連結口２００と第２連結口２０１とは、互いに鈍角となる方向に開口している。第２連結口２０１と第３連結口２０２とは、互いに鈍角となる方向に開口している。また、第３連結口２０２と第１連結口２００とは、互いに直角となる方向に開口している。
【００２５】
右部第１連結器２１は、第４連結口２１０、第５連結口２１１及び第６連結口２１２が異なる３方向に開口している。なお、右部第１連結器２１は、左部第１連結器２０と左右対称となる形状を有しており、第４連結口２１０が上記第１連結口２００に、第５連結口２１１が上記第２連結口２０１に、第６連結口２１２が第３連結口２０２にそれぞれ対応している。
【００２６】
左部第２連結器２２は、第７連結口２２０、第８連結口２２１及び第９連結口２２２が異なる３方向に開口している。第７連結口２２０は、上記連結杆の外径と略同じ内径を有している。第８連結口２２１及び第９連結口２２２は、上記支柱の外径を略同じ内径を有している。第８連結口２２１と第９連結口２２２とは、互いに鋭角となる方向に開口している。また、第９連結口２２２と第７連結口２２０とは、互いに直角となる方向に開口している。また、第７連結口２２０と第８連結口２２１とは、互いに直角となる方向に開口している。
【００２７】
右部第２連結器２３は、第１０連結口２３０、第１１連結口２３１及び第１２連結口２３２が異なる３方向に開口している。なお、右部第２連結器２３は、左部第２連結器２２と左右対称の形状を有しており、第１０連結口２３０が上記第７連結口２２０に、第１１連結口２３１が上記第８連結口２２１に、第１２連結口２３２が上記第９連結口にそれぞれ対応している。
【００２８】
図２において、３は幕布である。幕布３は、構造フレーム体１に平面的に広がるように取り付けられている。幕布３は、雨風に対する耐久性と、直射日光に対する遮光性と、水洗いすることができる取扱容易性とを兼ね備えた素材により形成され、例えば、ポリエチレンにより形成されている。また、幕布３は、構造フレーム体１の直射日光の差込み側を覆い隠すことができるような形状及び寸法となるように形成されている。また、幕布３は、少なくとも上端縁部及び左右端縁部が折り返され、構造フレーム体１を包み込むカバー部３２を備える。
【００２９】
また、幕布３の直射日光の差込み側と反対側の布面（以下「裏面」という。）には、曲折部により支えられる部分Ａ及びカバー部３２の折り目に沿って、支柱及び連結杆の外周面に巻き付く筒状取付片（図示せず）が複数設けられている。また、幕布３の下端コーナ部３１，３１の裏面には、フック（図示せず）が突き出ている。また、幕布３は、上端コーナ部３０，３０及び下端コーナ部３１，３１にそれぞれ紐装着用の孔があけられている。また、上端コーナ部３０，３０の紐装着用の孔には、上端取付紐５，５が装着され、下端コーナ部３１，３１の紐装着用の孔には、下端取付紐６，６が装着されている。
【００３０】
（構造フレーム体１の組み立て）
このように、日除け装置は、構造フレーム体１及び幕布３を備えている。そこで、構造フレーム体１及び幕布３を用いた日除け装置の組み立て方法について以下説明する。先ず、左部第２連結杆１５ａの右端部１５１の突起受け用の孔に右部第２連結杆１５ｂの左端部１５２の突起を係わり合わせて連結し、第２連結杆１５とする。次に、左部第２連結器２２（及び右部第２連結器２３）の第７連結口２２０（及び第１０連結口２３０）に第２連結杆１５の両端を差し込んで固定する。
【００３１】
次に、左部第２連結器２２（又は右部第２連結器２３）の第８連結口２２１（又は第１１連結口２３１）に上部支柱１０の上端部１００を差し込んで固定する。次に、左部第１連結器２０（又は右部第１連結器２１）の第１連結口２００（又は第４連結口２１０）に上部支柱１０の下端部１０１を差し込んで固定する。
【００３２】
次に、左部第１連結杆１４ａと右部第１連結杆１４ｂとを連結して第１連結杆１４とする。次に、左部第１連結器２０（及び右部第１連結器２１）の第３連結口２０２（及び第６連結口２１２）に第１連結杆１４の両端を差し込んで固定する。次に、左部第１連結器２０（又は右部第１連結器２１）の第２連結口２０１（又は第５連結口２１１）に下部第１支柱１１の上端部１１０を差し込んで固定する。第１支柱１０及び下部第１支柱１１の間には、左部第１連結器２０、右部第１連結器２１及び第１連結杆１４を介して曲折部が形成される。
【００３３】
次に、下部第１支柱１１の下端部１１１の突起受け用の孔に下部第２支柱１２の上端部１２０の突起が係わり合って連結する。最後に、下部第２支柱１２の下端部１２１の突起受け用の孔に下部第３支柱１３の上端部１３０の突起が係わり合って連結する。
【００３４】
（幕布３の取り付け）
このように組み立てた構造フレーム体１に幕布３を取り付ける。先ず、幕布３の上端部を第２連結杆１５に上方から覆い被せて幕布３の上端縁部のカバー部３２の折り目を第２連結杆１５に引っ掛け、幕布３の裏面側の筒状取付片を第２連結杆１５の外周面に巻き付けて固定する。次に、幕布３の左右端部を上部支柱１０、下部第１支柱１１、下部第２支柱１２及び下部第３支柱１３に直射日光の差込み側から覆い被せて幕布３の左右端部のカバー部３２の折り目をこれらの支柱に引っ掛け、幕布３の裏面側の筒状取付片をそれぞれの支柱の外周面に巻き付けて固定する。次に、幕布３の下端コーナ部３１，３１のフックを下部第２支柱１２の引っ掛け用の孔に引っ掛ける。幕布３が構造フレーム体１により上下左右に平面的に広がる状態で支えられる。最後に、幕布３の裏面の筒状取付部を第１連結杆１４の外周面に巻き付けて固定することにより、幕布３の裏面が曲折部により支えられるようにする（図２の部分Ａを参照）。
【００３５】
（日除け装置の取付構造）
日除け装置は、このように組み立てられる。そこで、組み立てられた日除け装置を建物壁面Ｘに取り付けるための構造について以下説明する。図２に示すように、第３連結器２２、第２連結杆１５及び第４連結器２３が、構造フレーム体１の上端部となって建物壁面Ｘに設けられた窓Ｗの桟の上方付近に突き当てられる。曲折部は、構造フレーム体１と建物壁面Ｘとの間に形成される人の移動空間を側方から見て略台形となるように形づくる。また、下部第３支柱１３の下端部１３１の滑り止め部材が設置地面に接地している。また、建物壁面Ｘには、構造フレーム体１の上端部の当接位置より上方の位置に固定金具４，４が取り付けられ、幕布３の上端取付紐５，５が引っ掛けられる。また、設置地面Ｙには、固定杭が打ち込まれ、幕布３の下端取付紐６，６が引っ掛けられる。上端取付紐５，５及び下端取付紐６，６は、幕布３が風にあおられて飛ぶような事態を防ぐ。
【００３６】
なお、設置場所の状況に応じて、長さや径の太さなどが異なる支柱や連結杆に差し替えることにより適宜調整する。また、連結口の角度が異なる連結器を差し替えることにより、支柱や連結杆の連結角度を適宜調整する。
【００３７】
実施の形態２．
また、本発明は、上述した実施の形態の内容に限定されるものでなく、構造フレーム体１の転倒を防ぐための補助支柱を更に備える構成であってもよい。図３に示すように、構造フレーム体１は、実施の形態１に係る構造フレーム体１の構成要件の他に、補助支柱７と、補助連結杆８と、連結器とを更に備える。以下、実施の形態１との相違点のみ説明する。
【００３８】
補助支柱７は、構造フレーム体１が建物壁面Ｘに立て掛けられた状態で鉛直方向に配される直管状のパイプ部材であり、所定の外径を有している。また、補助支柱７は、複数存在し、各補助支柱７は、上方から下方にかけて順番に第１補助支柱７０と、第２補助支柱７１と、第３補助支柱７２とが連結することにより構成されている。
【００３９】
補助連結杆８は、補助支柱７とその他の支柱との間に掛け渡されて連結する直管状のパイプ部材であり、支柱の外径と同じ外径を有している。また、連結器は、補助支柱７とその他の支柱とを連結するための器具であり、左部第３連結器２４、左部第４連結器２５、右部第３連結器２６及び右部第４連結器２７とがある。
【００４０】
左部第３連結器２４は、一端に支柱を挿入するための連結口が形成され、他端に支柱を掴むための挟掴部が形成されている。また、左部第４連結器２５、右部第３連結器２６及び右部第４連結器２７は、左部第３連結器２４と同じ形状を有している。
【００４１】
（補助支柱７の取り付け）
実施の形態１に係る構造フレーム体１を組み立てた後、左部第２連結器２２（又は右部第２連結器２３）の第９連結口２２２（又は第１２連結口２３２）に第１補助支柱７０の上端部を差し込んで固定する。また、第１補助支柱７０の下端部に第２補助支柱７１の上端部を差し込んで固定し、更にまた、第２補助支柱７１の下端部に第３補助支柱７２の上端部を差し込んで固定する。
【００４２】
次に、補助連結杆８の前端部を左部第３連結器２４（又は右部第３連結器２６）の連結口に差し込んで固定するとともに、補助連結杆８の後端部を左部第４連結器２５（又は右部第４連結器２７）の連結口に差し込んで固定する。
【００４３】
次に、左部第３連結器２４（又は右部第３連結器２６）の挟掴部を下部第１支柱１１に挟み込んで固定する。また、左部第４連結器２５（又は右部第４連結器２７）の挟掴部を補助支柱７に挟み込んで固定する。
【００４４】
このように、日除け装置は、上記の補助支柱７の下端部が設置地面に接地することにより、建物壁面Ｘに立て掛けられた状態の構造フレーム体１が風などにより転倒することを防ぐ。
【００４５】
実施の形態３．
また、本発明は、上述した実施の形態の内容に限定されるものでなく、構造フレーム体１の支柱が上端から下端に亘って湾曲し、この湾曲部分が曲折部となるように構成してもよい。以下、上述した実施の形態との相違点のみ説明する。
【００４６】
図４に示すように、構造フレーム体１は、上端から下端にかけての途中が湾曲している複数の支柱９０，９０，９０を備える。また、複数の支柱９０，９０，９０の間には、連結杆９１，９１が架け渡されて連結されている。このとき、連結杆９１，９１は、連結器９３、連結器９４、連結器９５及び連結器９６を介して支柱９０，９０，９０の直射日光の差込み側と反対側に取り付けられている。
【００４７】
このように、日除け装置は、支柱９０，９０，９０の直射日光の差込み側を極力出っ張ることがないようにしてあることにより、幕布３を取り付けた状態で凹凸することなく、意匠性が損なわれることがない。
【符号の説明】
【００４８】
１  構造フレーム体
１４  第１連結杆
１５  第２連結杆
３  幕布
７  補助支柱
８  補助連結杆
【図１】
2012140752.tif 000003
【図２】
2012140752.tif 000004
【図３】
2012140752.tif 000005
【図４】
2012140752.tif 000006